(57)【要約】【課題】  耐衝撃性に優れ、組立性の良い角速度センサを提供する。【解決手段】  柱状の振動子１ａの振動時に発生する２つの節点部をそれぞれ上下方向から挟持するように上記節点部に接合され、上記振動子１ａの機械的支持及び電気的接続を兼ねる支持部材１０Ａ１，１０Ａ２，１０Ｂ１，１０Ｂ２を備える角速度センサ１であって、上記支持部材１０Ａ１，１０Ａ２，１０Ｂ１，１０Ｂ２は、各節点の上側の支持部材１０Ａ１，１０Ａ２と下側の支持部材１０Ｂ１，１０Ｂ２で上記振動子１ａの長手方向に関して互いに同方向に屈曲された屈曲部１１をそれぞれ途中に含み、上記振動子１ａの上下方向および長手方向に直交する方向に伸びた腕部１２と、該腕部１２に上記振動子１ａとの接続部１３を有する。【選択図】        図１
2005114631.tif 000002
【特許請求の範囲】
【請求項１】
柱状の振動子の振動時に発生する２つの節点部をそれぞれ上下方向から挟持するように上記節点部に接合され、上記振動子の機械的支持及び電気的接続を兼ねる支持部材を備える角速度センサであって、
上記支持部材は、各節点の上側の支持部材と下側の支持部材で上記振動子の長手方向に関して互いに同方向に屈曲された屈曲部をそれぞれ途中に含み、上記振動子の上下方向および長手方向に直交する方向に伸びた腕部と、該腕部に上記振動子との接続部を有することを特徴とする角速度センサ。
【請求項２】
上側の支持部材を折り曲げ延長して、基板に対する接続片を設け、
上記上側の支持部材及び下側の支持部材を直接基板上に直接実装してなることを特徴とする請求項１記載の角速度センサ。
【請求項３】
上記圧電体の対向する一方の主面であって上記基体と接合される面に形成され、基準電位に接続される基準電極と、
上記圧電体の対向する他方の主面に上記振動子の長手方向に沿って形成され、上記振動子を振動させるための信号が供給される少なくとも１つの駆動電極と、
上記圧電体の対向する他方の主面に上記駆動電極を挟む形で互いに平行に形成され、上記振動子に生じるコリオリ力に応じた信号を出力するための少なくとも１対の検出電極とを備え、
上記振動子の機械的支持及び電気的接続を兼ねる支持部材を介して上記駆動電極と上記基準電極との間に電圧を印加して、上記圧電体により上記振動子を振動させるとともに上記振動子に生じるコリオリ力を上記圧電体により検出し、上記検出電極から上記コリオリ力に応じた信号として得られる角速度検出信号を上記振動子の機械的支持及び電気的接続を兼ねる支持部材を介して出力することを特徴とする請求項１記載の角速度センサ。
【発明の詳細な説明】
【技術分野】
【０００１】
本発明は、柱状の振動子の振動時に発生する節点部に接合され、上記振動子の機械的支持及び電気的接続を兼ねる支持部材を備える角速度センサに関する。
【背景技術】
【０００２】
従来、民生用の角速度センサとしては、棒状の振動子を所定の共振周波数で振動させておき、角速度の影響によって生じるコリオリ力を圧電素子等で検出することによって角速度を検出する、いわゆる振動ジャイロ型の角速度センサが広く使用されている。
【０００３】
このような角速度センサにおいて、振動子の形状として四角柱状の音片型があり、音片型の支持方法として２つの振動節点を導電性の部材で支持する方法がある。
【０００４】
図１５に従来の角速度センサの支持方法を示す。図１５において、圧電材からなる振動子９６の所定面の幅方向の略中央には長手方向に溝９５が設けられ、前記所定面を９１ａと９１ｂに分割する。導電性がある支持部材４０，４１は接続部４０ａ，４１ａにて振動子９６と機械的且つ電気的に接続される。接続方法としては半田接続や導電性接着剤による接続がある。
【０００５】
このように構成された従来の角速度センサは、支持部材４０と支持部材４１の間に駆動信号を加えることで振動子９６を振動させる。このとき振動子９６が長手方向を軸として回転されるとコリオリ力が発生し振動子９６の面９１ａと面９１ｂに各々コリオリ力に比例した逆の極性の信号が発生する。この信号を支持部材４０より取り出すことで角速度信号を検出することができる。
【０００６】
ここで、支持部材４０及び支持部材４１は振動節点を拘束する機能と、振動子９６が振動する為に、ある程度節点に自由度を与えるという相反する機能を併せ持つ必要がある。支持部材４０及び支持部材４１の拘束が強ければ振動量が減少し角速度の検出感度が低下する。また、逆に、拘束力が弱いと振動の節点の移動が大きく、特性上不安定となり問題となる。
【０００７】
近年のデバイスの小型化に伴い、支持部材４０及び支持部材４１が図１５のような直線状では、自ずと距離が短くなり剛性が上がる為、図１６の支持部材５０及び支持部材５１のように屈曲させ剛性を下げる手法が用いられる（例えば、特許文献１参照）。
【０００８】
また、支持部材の固定は量産性とコストを考慮しインサートモールドが用いられるが、インサートモールドの製法の都合上、上下の支持部材５０及び支持部材５１は固定位置をずらす必要があり、必然的に上下の支持部材を振動の節点を軸に対称に配置されていた。
【０００９】
【特許文献１】特開平１０−３３２３７９号公報
【発明の開示】
【発明が解決しようとする課題】
【００１０】
しかしながら、図１６のように上下の支持部材５０及び支持部材５１が対称に配置された場合、振動子９６周辺に支持部材のない空間が減少し、ハンドリング等の組立性が悪化し、小型化に伴いその問題が更に顕著となってきていた。
【００１１】
また、外部から衝撃が加わった場合、上下の支持部材が逆方向に配置されている為、節点に掛かる応力が上下逆方向に働き、節点に回転モーメントが発生する。この回転モーメントにより支持部材５０及び支持部材５１と振動子９６の接合が破壊するという問題が発生する。
【００１２】
そこで、本発明の目的は、上述の如き従来の問題点に鑑み、耐衝撃性に優れ、組立性の良い角速度センサを提供することにある。
【課題を解決するための手段】
【００１３】
本発明では、音片型角速度センサ等に用いられる振動子の支持構造において、振動子を上下に対向して挟持する支持部材の屈曲方向を上下同一にすることにより、耐衝撃性に優れ、組立性の良い角速度センサを実現する。
【００１４】
すなわち、本発明は、柱状の振動子の振動時に発生する２つの節点部をそれぞれ上下方向から挟持するように上記節点部に接合され、上記振動子の機械的支持及び電気的接続を兼ねる支持部材を備える角速度センサであって、上記支持部材は、各節点の上側の支持部材と下側の支持部材で上記振動子の長手方向に関して互いに同方向に屈曲された屈曲部をそれぞれ途中に含み、上記振動子の上下方向および長手方向に直交する方向に伸びた腕部と、該腕部の先端に形成された上記振動子との接続部を有することを特徴とする。
【発明の効果】
【００１５】
本発明に係る角速度センサでは、上下の支持部材をほぼ同一位置に配置することにより、振動子周辺部の自由な空間が従来に比較し大幅に増大する。それにより、組立て時のハンドリング性、作業性が上がり、製造コストの低減が図れる。また、更なる小型化にも対応可能である。
【００１６】
また、増大した空間にチップ部品等の回路部品を配置することが可能となり、デバイスの集積化が容易となる。
【００１７】
一方、外部から衝撃が加わった場合、上下の支持部材が同一方向に屈曲し対向されて配置されている為、振動の節点に回転モーメントが加わらず、上下の支持部材が逆方向に配置された場合と比較し耐衝撃性に優れる。
【００１８】
なお、本発明は、音片型角速度センサに限定されるものではなく、支持部材が必要な振動子を用いるデバイス全般に有効である。
【発明を実施するための最良の形態】
【００１９】
以下、本発明の実施の形態について、図面を参照しながら詳細に説明する。なお、本発明は以下の例に限定されるものではなく、本発明の要旨を逸脱しない範囲で、任意に変更可能であることは言うまでもない。
【００２０】
図１は本発明を適用した角速度センサ１の外観斜視図であり、また、図２は上記角速度センサ１を使用するための駆動検出回路３０の一例を示すブロック図である。
【００２１】
この実施の形態における角速度センサ１は、図１及び図２に示すように、振動ジャイロとして動作する振動子１ａを備えている。
【００２２】
振動子１ａは、図１に示されるように、基体２と圧電体３とを積層してなり、長手方向に対して垂直な平面で切断したときの断面の形状（以下、単に断面形状と称する）が矩形となる四角柱状に形成されている。
【００２３】
この振動子１ａの圧電体３は、ＰＺＴ（チタン酸ジルコン酸鉛）を主成分とする圧電セラミックスからなり、通常、分極処理により生成されている。圧電体３には、その対向する一方の主面３Ａであって上記基体２と接合される面に基準電極３ａが形成されている。そして、この圧電体３は、その対向する他方の主面３Ｂに、駆動電極３ｂと、この駆動電極３ｂを挟む形で１対の検出電極３ｃ１，３ｃ２が、上記振動子１ａの長手方向に沿って互いに平行に分割されて形成されており、駆動電極３ｂの形成されている部分が駆動用の圧電素子３１として機能し、また、検出電極３ｃ１，３ｃ２の形成されている部分が検出用の圧電素子３２，３３として機能するようになっている。
【００２４】
また、この振動子１ａの基体２は、上記圧電体３を構成する圧電セラミックスの主成分であるＰＺＴと比べて、物性値が同等以下のＰＺＴ以外の材料、例えばアモルファスカーボンあるいはグラファイトなどのカーボンを主成分とするセラミックス材料からなる。
【００２５】
ここで、各種材料の物性値の比較結果を図３に示すように、圧電セラミックスの主成分であるＰＺＴ（ＢＺ２７Ｍ５材）はヤング率が１０３ＧＰａで熱膨張係数が３２×１０−７〜３５×１０−７であるのに対し、アモルファスカーボンはヤング率が３０〜３３ＧＰａで熱膨張係数が３０×１０−７であり、また、グラファイトはヤング率が１４ＧＰａで熱膨張係数が３２×１０−７であり、アモルファスカーボンやグラファイトなどカーボンを主成分とするセラミックス材料は、圧電セラミックスの主成分であるＰＺＴとヤング率と熱膨張係数等の物性値が同等以下の値となっている。
【００２６】
この角速度センサ１において、圧電体３の厚さは基体２の厚さより薄く、例えば、圧電体３の厚さを０．２ｍｍ、基体２の厚さを０．８ｍｍとしている。
【００２７】
そして、上記４角柱状の振動子１ａは、その振動時に発生する２つの節点部をそれぞれ上下方向から挟持するように上記節点部に接合され、振動時に発生する節点部分が機械的支持及び電気的接続を兼ねる支持部材１０Ａ１，１０Ａ２，１０Ｂ１，１０Ｂ２により支持されている。
【００２８】
上記支持部材１０Ａ１，１０Ａ２，１０Ｂ１，１０Ｂ２は、例えばリン青銅、ステンレス等からなり、それぞれ各節点の上側の支持部材１０Ａ１，１０Ａ２と下側の支持部材１０Ｂ１，１０Ｂ２で上記振動子１ａの長手方向に関して互いに同方向に屈曲された屈曲部１１をそれぞれ途中に含み、上記振動子１ａの上下方向および長手方向に直交する方向に伸びた腕部１２と、該腕部１２に上記振動子１ａとの接続部１３を有する。上側の支持部材１０Ａ１は、上記振動子１ａの振動の節点において接続部１３が１対の検出電極３ｃ１，３ｃ２に接合され、また、支持部材１０Ａ２は、振動子１ａの振動の節点において接続部１３が駆動電極３ｂに接合されている。なお、上記駆動電極３ｂに接合させる支持部材１０Ａ２が検出電極３ｃ１，３ｃ２を跨ぐ部分には、上記支持部材１０Ａ２の腕部１１が検出電極３ｃ１，３ｃ２と接触しないように検出電極３ｃ１，３ｃ２を部分的に除去し絶縁部１８を設けている。
【００２９】
また、下側の支持部材１０Ｂ１，１０Ｂ２は、上記振動子１ａの振動の節点において接続部１３がアモルファスカーボンからなる基体２に接合されており、上記基体２を介して上記基準電極３ａと導通されている。
【００３０】
この角速度センサ１の圧電体３は、振動駆動機能及びその振動を検出する機能を合わせ持っている。これにより、角速度センサ１は、振動駆動機能により振動しているときに振動子１ａが回転することによって生じたコリオリ力を検出機能により検出する。
【００３１】
すなわち、この角速度センサ１は、上記基体２と圧電体３とを積層して接合なる振動子１ａの上記圧電体３の対向する一方の主面３Ａに設けられている基準電極３ａと他方の主面３Ｂに設けられている駆動電極３ｂとの間に電圧を印加することにより上記振動子１ａを振動させるとともに上記振動子１ａに生じるコリオリ力を圧電体３により検出し、上記他方の主面３Ｂに設けられている検出電極３ｃ１，３ｃ２から上記コリオリ力に応じた信号として角速度検出信号を出力する。
【００３２】
この角速度センサ１における振動子１ａは、図２に示すように、支持部材１０Ａ１，１０Ａ２を介して駆動検出回路３０と接続される。接続部１３は、この駆動検出回路３０により共振させられる振動子１ａの振動の節点（ノード点）となり、振動子１ａは軸方向の両端を自由端として共振させられる。
【００３３】
この角速度センサ１では、上下の支持部材１０Ａ１，１０Ａ２，１０Ｂ１，１０Ｂ２をほぼ同一位置に配置することにより、振動子１ａ周辺部の自由な空間が従来に比較し大幅に増大する。これにより、組立て時のハンドリング性、作業性が上がり、製造コストの低減が図れる。また、更なる小型化にも対応可能である。また、増大した空間にチップ部品等の回路部品を配置することが可能となり、デバイスの集積化が容易となる。一方、外部から衝撃が加わった場合、上下の支持部材１０Ａ１，１０Ａ２，１０Ｂ１，１０Ｂ２が同一方向に屈曲し対向されて配置されている為、振動の節点に回転モーメントが加わらず、上下の支持部材１０Ａ１，１０Ａ２，１０Ｂ１，１０Ｂ２が逆方向に配置された場合と比較し耐衝撃性に優れる。
【００３４】
なお、上部の支持部材１０Ａ１，１０Ａ２と下部の支持部材１０Ｂ１，１０Ｂ２は、図４に示すように、垂直方向に重なるが、上部の支持部材１０Ａ１，１０Ａ２の固定部の形状を拡大することによりインサートモールドへの接続は、問題なく行うことが可能である。また、図５に示すように、上部の支持部材１０Ａ１，１０Ａ２を折り曲げ延長して、基板６０に対する接続片１５を支持部材１０Ａ１，１０Ａ２に設けることにより、インサートモールド等の部品を使わず直接基板６０上に実装することも可能である。
【００３５】
また、上記腕部１２の先端の接続部１３は、二股形状に形成されている。これにより半田もしくは導電性接着剤が二股の間に入り込むことでより高い機械的な接続強度が得られる。また、振動子１ａの小型化に伴い接続部１３が小型になった場合においても、限られた面積においては、接続部１３は、完全な円形よりも図６（Ａ）に示すような半円形状とした方が内側の円の経を大きくとれるためにより機械的な接続強度が高まる。上記接続部１３は、二股以上に分かれていれば図６（Ｂ）のようなＹ字型や図６（Ｃ）に示すコの字型や図６（Ｄ）に示す三股形状であっても同様な効果が得られる。
【００３６】
駆動検出回路３０は、図２に示すように、振動子１ａの検出電極３ｃ１，３ｃ２に支持部材１０Ａ１を介して接続されたインピーダンス変換回路４及び差動増幅回路７と、上記インピーダンス変換回路４に接続された加算回路５と、この加算回路５に接続された発振回路６と、この発振回路６と上記差動増幅回路７に接続された同期検波回路８と、この同期検波回路８に接続された直流増幅回路９からなり、上記発振回路６の出力が支持部材１０Ａ２を介して駆動電極３ｂに供給されている。また、振動子１ａの基準電極３ａは、アモルファスカーボンからなる基体２に導通されており、支持部材１０Ｂ１，１０Ｂ２を介して基準電位３７に接続されている。
【００３７】
この駆動検出回路３０では、振動子１ａとインピーダンス変換回路４と加算回路５と発振回路６で形成される自励発振回路によって、振動子１ａは発振し、駆動片として用いられる駆動用の圧電素子３１の形成面に直交する方向に屈曲振動する。
【００３８】
すなわち、振動子１ａは、発振回路６の発振出力Ｖｇｏが駆動用の圧電素子３１に印加されることによって駆動される。そして、上記振動子１ａの検出用の圧電素子３２の出力Ｖｇｌと圧電素子３３の出力Ｖｇｒがインピーダンス変換回路４を介してＶｚｌとＶｚｒとして加算回路５に入力され、この加算回路５による上記ＶｚｌとＶｚｒの加算出力Ｖｓａが発振回路６に帰還される。
【００３９】
この状態で、振動子１ａの長軸を中心として回転すると、コリオリ力によって屈曲振動の向きが変わる。これによって、検出用の圧電素子３２と圧電素子３３の間に出力差Ｖｇｌ−Ｖｇｒが生じ、差動増幅回路７から出力Ｖｄａが得られる。このとき、振動子１ａを駆動するための信号は、静止時の検出用の圧電素子３２と圧電素子３３の出力であり、圧電素子３２と圧電素子３３において同相で同じ大きさの信号である。このため、振動子１ａを駆動するための信号は、差動増幅回路７で相殺される。また、コリオリ力に応じた信号は、圧電素子３２と圧電素子３３において逆相で同じ大きさの信号ＶｃｌおよびＶｃｒである。したがって、差動増幅回路７の出力ＶｄａはＶｃｌ−Ｖｃｒに比例した信号となる。
【００４０】
この差動増幅回路７の出力Ｖｄａを同期検波回路８で同期検波することで直流信号Ｖｓｄに変換している。同期検波回路８は差動増幅回路７の出力Ｖｄａを  上記発振回路６が駆動信号に同期して出力するクロック信号Ｖｃｋのタイミングで全波整流した後で積分し、直流信号Ｖｓｄを得ている。この信号Ｖｓｄを直流増幅回路９で所定の大きさまで直流増幅することで、回転により生じる角速度信号のみを検出することができる。
【００４１】
ここで、インピーダンス変換回路４は、入力がハイ・インピーダンスＺ２で出力がロー・インピーダンスＺ３となっており、圧電素子３２と圧電素子３３間のインピーダンスＺ１と加算回路５の入力間のインピーダンスＺ４を分離するために用いられている。仮にインピーダンス変換回路４がない場合は、圧電素子３２と圧電素子３３間のインピーダンスＺ１と加算回路５の入力間のインピーダンスＺ４は分離されず、圧電素子３２と圧電素子３３の間に生じた出力差はＺ４／（Ｚ１＋Ｚ４）を掛けた大きさになり、インピーダンス変換回路がある場合に比べて小さくなってしまう。
【００４２】
インピーダンス変換回路４は、入力と出力でのインピーダンスを変換しているだけで信号の大きさには影響を与えないため、圧電素子３２の出力Ｖｇｌとインピーダンス変換回路４の一方の出力Ｖｚｌは同じ大きさとなり、圧電素子３３の出力Ｖｇｒとインピーダンス変換回路４の他方の出力Ｖｚｒは同じ大きさとなる。したがって、加算回路５の出力Ｖｓａでは、コリオリ力に応じた信号は相殺され、静止時の圧電素子３２と圧電素子３３の出力の和となる。この加算回路５と振動子１ａとインピーダンス変換回路４と発振回路６による正帰還ループで発振回路を形成していて、振動子１ａの共振周波数にて自励発振する。
【００４３】
このような駆動検出回路３０の電源に、数百キロヘルツ以上の発振周波数で作られたスイッチング・レギュレータの出力電圧を供給すると、電源ノイズがインピーダンス変換回路４の２つの出力間にも飛込むことで信号ノイズとなる。ここで、インピーダンス変換回路４の２つの出力への電源ノイズの飛込み方に違いがある場合は、２つの出力ＶｚｌとＶｚｒの間にノイズによる電位差が生じることになる。前記信号ノイズを含むインピーダンス変換回路４の２つの出力ＶｚｌとＶｚｒが、加算回路５で加算され、発振回路６を通して振動子１ａに入力される。
【００４４】
当然、発振回路６の出力Ｖｇｏにも前記信号ノイズが乗っているが、振動子１ａはバンド・パス・フィルタと同じ働きをするので、振動子１ａの共振周波数以外の成分は除去される。したがって、この駆動検出回路３０では、圧電素子３２と圧電素子３３の出力からは前記信号ノイズが除去されているので、差動増幅回路７の出力Ｖｄａにも前記信号ノイズが含まれず、電源ノイズの影響を受けない。
【００４５】
また、この実施の形態において、角速度センサ１は、同一面に検出電極３ｃ１，３ｃ２と駆動電極３ｂが配されているので、図７（Ａ）に示すように、基体の母体であるウェハ２０と両面電極メッキを施すことにより各電極を形成した圧電体の母体であるウェハ３０とを積層させてこれらを接着し、図７（Ｂ）に示すように、四角柱状として個々に切り出すことにより、図７（Ｃ）に示すように、振動子１ａを製造することができる。このような工程により製造される振動子１ａは、非常に精度が高く、かつ超小型化が可能となる。さらに量産効果も得やすい構造とされる。また、圧電体の接着位置ずれといった問題も解決することができる。また、基体は、上記圧電体と略同様の切削加工性を有していることから、基体のウェハと圧電体のウェハとから上述したように、振動子としての切り出しが容易とされる。
【００４６】
さらに、従来のように、恒弾性金属振動子に圧電素子を接着したり、曲面に電極を印刷するといった難しい工程を設ける必要がなくなる。
【００４７】
なお、この角速度センサ１では、上記圧電体３の対向する一方の主面３Ａに形成された基準電極３ａ と接合される基体２を導電性がある材料で形成したが、絶縁性の基体２に導電性がある材料をメッキして、上記圧電体３の主面３Ａと対向する上記基体２の２つの主面２Ａ，２Ｂと該２つの主面２Ａ，２Ｂに連続する少なくとも１つの側面に上記基準電極３aと導通する電極を形成することによって、圧電体３に効率よく駆動電界を印加することが可能になり、感度向上を図ることが可能になる。
【００４８】
また、当然、小型化に伴って技術的な難しさが増し、精度を確保することが困難になると考えられるが、既にＬＳＩやヘッド加工などで確立されている微細加工技術を応用することにより、このような問題はクリアできる。従って、高精度の寸法精度が得られるため、振動子の周波数調整も簡略化することが可能になる。
【００４９】
また、自励発振型駆動回路を応用することにより、非常に簡単な回路によって高精度な角速度センサ１を構成することができる。
【００５０】
そして、この角速度センサ１は、自励発振型なので、他励発振型の角速度センサのように温度特性の影響によって感度が低下してしまうようなこともない。
【００５１】
ここで、この角速度センサ１の環境温度の変化に対する感度の変化特性の実測結果を図８に示す。この図８において、特性Ａ１は、圧電体３を構成する圧電セラミックスの主成分であるＰＺＴと比べてヤング率と熱膨張係数が同等以下の材料（アモルファスカーボン）にて基体２を構成した角速度センサ１の特性を示し、特性Ｂ１は、基体２をＰＺＴにて構成した場合の特性を示している。
【００５２】
この図８からも明らかなように、圧電体３を構成する圧電セラミックスの主成分であるＰＺＴと比べてヤング率と熱膨張係数が同等以下の材料（アモルファスカーボン）にて基体２を構成することによって、環境温度の変化の影響を受けにくい振動子１ａを構成することができる。
【００５３】
また、この振動子１ａは、図９に示す特性Ａ２ように、基体をＰＺＴにて構成した場合の特性Ｂ２と比較して、振動子単体の共振抵抗の温度変化を小さくすることができ、その結果角速度検出感度の温度変化が小さくなり、また、その変化の形態が直線的なので補正を容易に行うことができる。
【００５４】
また、この角速度センサ１における振動子１ａの断面縦横比と離調度の関係を図１０に示す。なお、離調度とは、縦方向の共振周波数と横方向の共振周波数の差であり、離調度が小さい程感度は高くなる。
【００５５】
この図１０において、特性Ａ３は、圧電体３を構成する圧電セラミックスの主成分であるＰＺＴと比べてヤング率と熱膨張係数等の物性値が同等以下の材料（アモルファスカーボン）にて基体２を構成した角速度センサ１の特性を示し、特性Ｂ３は、基体２をＰＺＴにて構成した場合の特性を示している。
【００５６】
この図１０中に特性Ａ３に対し離調度０±２００Ｈｚに対応する振動子１ａの縦横比の範囲を黒枠にて囲んで示してあるように、この角速度センサ１では、振動子１ａの全幅と厚みとの比すなわち断面縦横比を１．０３０〜１．０５５の範囲内とすることによって離調度を０近傍とすることができ、初期状態でこの範囲に抑えることによって離調度を容易に且つ確実に調整することができる。
【００５７】
なお、この角速度センサ１では、同一面に形成された駆動電極３ｂと検出電極３ｃ１，３ｃ２の振動子１ａの幅方向の電極寸法Ｗ１，Ｗ２を、図１１に示すように、検出電極３ｃ１，３ｃ２と駆動電極３ｂとで異ならしめることによって、検出特性を最適化することができる。すなわち、駆動電極３ｂの形状や寸法を調整することで駆動効率を調整することができ、また、検出電極３ｃ１，３ｃ２の形状や寸法を調整することで検出効率を調整が可能になる。
【００５８】
上記角速度センサ１において、駆動電極３ｂの幅をＷ１、検出電極３ｃ１，３ｃ２の幅をＷ２とし、Ｗ１／Ｗ２を１〜２．８の範囲で変えた場合の感度を測定した結果を図１２に示す。
【００５９】
この図１２に示す感度特性から明らかなように、上記角速度センサ１は、Ｗ１とＷ２との比率が１＜Ｗ１/Ｗ２≦２．６の範囲でＷ１/Ｗ２＝１と同等以上の感度を示す。特に、１．８＜Ｗ１/Ｗ２≦２．０の範囲では、Ｗ１/Ｗ２＝１の場合と比較して２倍以上の感度が得られる。
【００６０】
また、上記角速度センサ１の感度と離調度の関係を図１３に示す。
【００６１】
ここで、離調度とは、縦方向の共振周波数と横方向の共振周波数の差であり、離調度が小さい程感度は高くなる。ＴＹＰＥ１はＷ１/Ｗ２＝１の場合を示しており、ＴＹＰＥ２はＷ１/Ｗ２＝１．９の場合を示している。この図１３から明らかなように、離調度がどの範囲にあっても、Ｗ１/Ｗ２＝１の場合よりもＷ１/Ｗ２＝１．９の場合の方が圧倒的に感度が高い。
【００６２】
さらに、この実施の形態における角速度センサ１において、圧電体３の厚さＴ１は基体２の厚さＴ２より薄く、例えば、圧電体３の厚さＴ１を０．２ｍｍ、基体２の厚さを０．８ｍｍとしているが、上記圧電体３の厚みＴ１と上記振動子１ａの厚みＴ０との比を変えて、振動子１ａの発振周波数及びその駆動回路の移相器の調整許容量を測定したところ、図１４に示すような結果が得られた。上述の如き構造の角速度センサ１では、上記圧電体３の厚みＴ１と上記振動子の厚みＴ０との比を０．１４〜０．２７の範囲内、具体的には、振動子１ａの厚みＴ０が０．９ｍｍ〜１．１ｍｍに対して、圧電体３の厚みＴ１を０．１５ｍｍ〜０．２５ｍｍの構成にすることで、共振抵抗と発振周波数を一定の範囲内に圧縮できるとともに、振動子１ａを自励発振させるための駆動回路のフェイズマージンを確保できる。さらに、振動子１ａの寸法変化に対する周波数変化の度合いを低減できることにより、所定の離調度や発振周波数への調整が容易になる。
【図面の簡単な説明】
【００６３】
【図１】本発明を適用した角速度センサに備えられる振動子の外観斜視図である。
【図２】上記角速度センサを使用するための回路の一例を示すブロック図である。
【図３】各種材料の物性の比較結果を示す図である。
【図４】上記角速度センサにおける振動子の上面視図である。
【図５】上記角速度センサをインサートモールド等の部品を使わずに角速度センサを直接基板上に実装した状態を示す斜視図である。
【図６】上記角速度センサにおける振動子の支持部材の接続部の形状例を示す模式的な平面図である。
【図７】上記角速度センサの製造方法の一例を示す図である。
【図８】上記角速度センサの環境温度の変化に対する感度の変化特性の実測結果を示す図である。
【図９】上記角速度センサにおける振動子単体の共振抵抗／センサ感度の温度依存性を示す図である。
【図１０】上記角速度センサにおける振動子の断面縦横比と離調度の関係を示す図である。
【図１１】上記角速度センサにおける振動子の断面図である。
【図１２】上記角速度センサにおける感度と電極幅比の関係を示す図である。
【図１３】上記角速度センサの感度と離調度の関係を示す図である。
【図１４】上記角速度センサにおける圧電体の厚みと上記振動子の厚みとの比を変えて、振動子の発振周波数及びその駆動回路の移相器の調整許容量を測定した結果を示す図である。
【図１５】従来の角速度センサの一例を示す図であり、（ａ）は振動子の部分を示す斜視図であり、（ｂ）は振動子の部分を示す上面視図であり、（ｃ）は振動子の部分を示す底面視図である。
【図１６】従来の角速度センサの一例を示す図であり、（ａ）は振動子の部分を示す斜視図であり、（ｂ）は振動子の部分を示す上面視図であり、（ｃ）は振動子の部分を示す底面視図である。
【符号の説明】
【００６４】
１  角速度センサ、１ａ  振動子、２  基体、２Ａ，２Ｂ  主面、３  圧電体、３Ａ，３Ｂ  主面、３ａ  基準電極、３ｂ  駆動電極、３ｃ１，３ｃ２  検出電極、４  インピーダンス変換回路、５  加算回路、６  発振回路、７  差動増幅回路、８  同期検波回路、９  直流増幅回路、１０Ａ１，１０Ａ２，１０Ｂ１，１０Ｂ２  支持部材、１１  屈曲部、１２  腕部、１３  接続部、１５  接続片、１８  絶縁部、２０，３０  ウェハ、３０  駆動検出回路、３１，３２，３３  圧電素子、３７  基準電位
【図１】
2005114631.tif 000003
【図２】
2005114631.tif 000004
【図３】
2005114631.tif 000005
【図４】
2005114631.tif 000006
【図５】
2005114631.tif 000007
【図６】
2005114631.tif 000008
【図７】
2005114631.tif 000009
【図８】
2005114631.tif 000010
【図９】
2005114631.tif 000011
【図１０】
2005114631.tif 000012
【図１１】
2005114631.tif 000013
【図１２】
2005114631.tif 000014
【図１３】
2005114631.tif 000015
【図１４】
2005114631.tif 000016
【図１５】
2005114631.tif 000017
【図１６】
2005114631.tif 000018